(57)【要約】【課題】表出した情報を見にくくすることなく、シート上に付与された隠蔽情報を確実に隠蔽する。【解決手段】宛名表示面を具備する第１紙片部１０と、送付先に隠蔽状態にて通知する明細情報を印字するための明細情報表示領域２１が設けられた第２紙片部２０とを、遮光印刷層８０を介して粘着剤７１によって剥離不可能に貼着し、第２紙片部２０の明細情報表示領域２１が設けられたが設けられた面に、互いに剥離不可能に貼着された第３紙片部３０及び第４紙片部４０と、第５紙片部５０とを順次積層し、感圧糊７２にて剥離可能に貼着する。【選択図】図１
2008055684.tif 000002
【特許請求の範囲】
【請求項１】
宛名表示面を具備する第１のシートと、隠蔽情報表示面を具備する第２のシートとを有し、前記隠蔽情報表示面に表示された隠蔽情報を隠蔽する隠蔽シートであって、
前記第１のシートの前記宛名表示面とは反対側の面と前記第２のシートの前記隠蔽情報表示面とは反対側の面とが、遮光構造を介して互いに剥離不可能に貼着され、
前記第２のシートの前記隠蔽情報表示面側に複数のシートが順次積層され、互いに剥離可能に貼着されている隠蔽シート。
【請求項２】
隠蔽情報表示面をそれぞれ具備する第１のシートと第２のシートとが、前記隠蔽情報表示面とは反対側の面にて遮光構造を介して互いに剥離不可能に貼着され、
前記第１のシートの前記隠蔽情報表示面に、宛名表示面を具備するシートが、該宛名表示面が表出するように剥離可能に貼着され、
前記第２のシートの前記隠蔽情報表示面側に少なくとも１枚のシートが積層されて剥離可能に貼着されている隠蔽シート。
【発明の詳細な説明】
【技術分野】
【０００１】
本発明は、シート上に付与された情報を隠蔽する隠蔽シートに関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を伝達するはがきにおいては、表面に宛先情報が記載されるとともにその裏面に隠蔽情報が記載されたはがき片と、一方の面に地紋が印刷された隠蔽片とが折り畳み可能に連接し、このはがき片と隠蔽片とが剥離可能に貼着される情報隠蔽はがきが考えられている（例えば、特許文献１参照。）。この情報隠蔽はがきにおいては、はがき片の隠蔽情報が記載された面が内側となるように折り畳まれてはがき片と隠蔽片とが剥離可能に貼着されることにより、はがき片に記載された隠蔽情報が隠蔽され、さらに、隠蔽片に印刷された地紋によって隠蔽情報を透かして見ることを困難としている。
【特許文献１】特開平１０−２６４５５９号公報
【発明の開示】
【発明が解決しようとする課題】
【０００４】
しかしながら、上述したようにはがき片と隠蔽片とが折り畳み可能に連接した情報隠蔽はがきにおいては、隠蔽片が剥離可能に貼着された面側からは、隠蔽情報は地紋によって透かして見ることが困難となるものの、はがき片側からは隠蔽情報が透かして見られてしまう虞れがあり、隠蔽情報を確実に隠蔽できるとは言いがたい。そこで、はがき片と隠蔽片とが折り畳まれた場合に地紋に隠蔽情報が挟まれるように地紋を印刷することが考えられるが、その場合、はがき片の宛先情報が記載された面に地紋を印刷することになり、宛先情報が見にくくなって好ましくない。
【０００５】
本発明は、上述したような従来の技術が有する問題点に鑑みてなされたものであって、表出した情報を見にくくすることなく、シート上に付与された隠蔽情報を確実に隠蔽することができる隠蔽シートを提供することを目的とする。
【課題を解決するための手段】
【０００６】
上記目的を達成するために本発明は、
宛名表示面を具備する第１のシートと、隠蔽情報表示面を具備する第２のシートとを有し、前記隠蔽情報表示面に表示された隠蔽情報を隠蔽する隠蔽シートであって、
前記第１のシートの前記宛名表示面とは反対側の面と前記第２のシートの前記隠蔽情報表示面とは反対側の面とが、遮光構造を介して互いに剥離不可能に貼着され、
前記第２のシートの前記隠蔽情報表示面側に複数のシートが順次積層され、互いに剥離可能に貼着されている。
【０００７】
上記のように構成された本発明においては、第１のシートの宛名表示面側から透かして見た場合、第１のシートと第２のシートとの間には遮光構造が介在するため、第２のシートの隠蔽情報表示面に表示された隠蔽情報は、第１のシート側からの光がこの遮光構造によって遮られることにより視認不可能となる。この際、第１のシートの宛名表示面には、第２のシートの隠蔽情報表示面に表示された隠蔽情報を視認不可能とするための地紋等の情報が表示されていないため、宛名表示面に表示された宛名情報が見にくくなってしまうことがない。また、第２のシートの隠蔽情報表示面側に積層、貼着された複数のシートに地紋を印刷する等の隠蔽構造を設ければ、第２のシート側から透かして見た場合も、隠蔽情報表示面に表示された隠蔽情報が視認されることがない。
【０００８】
また、隠蔽情報表示面をそれぞれ具備する第１のシートと第２のシートとが、前記隠蔽情報表示面とは反対側の面にて遮光構造を介して互いに剥離不可能に貼着され、
前記第１のシートの前記隠蔽情報表示面に、宛名表示面を具備するシートが、該宛名表示面が表出するように剥離可能に貼着され、
前記第２のシートの前記隠蔽情報表示面側に少なくとも１枚のシートが積層されて剥離可能に貼着されている。
【０００９】
上記のように構成された本発明においては、太陽光等の強い光に翳して見た場合、第１のシートと第２のシートとの間に介在する遮光構造によって、その光が遮られて全体が透けることがなくなり、それにより、第１のシートや第２のシートの隠蔽情報表示面に表示された隠蔽情報が視認されることがなくなる。この際、第１のシートに貼着されたシートの宛名表示面には、第１のシートや第２のシートの隠蔽情報表示面に表示された隠蔽情報を視認不可能とするための地紋等の情報が表示されていないため、宛名表示面に表示された宛名情報が見にくくなってしまうことがない。
【発明の効果】
【００１０】
以上説明したように本発明においては、宛名表示面を具備する第１のシートと隠蔽情報表示面を具備する第２のシートとが遮光構造を介して互いに剥離不可能に貼着されているため、第１のシートの宛名表示面側から透かして見た場合に、第１のシートと第２のシートとの間に介在する遮光構造によって、隠蔽情報表示面に表示された隠蔽情報が見られてしまうことがなくなり、それにより、表出した情報を見にくくすることなく、シート上に付与された隠蔽情報を確実に隠蔽することができる。また、第２のシートの隠蔽情報表示面側に積層、貼着された複数のシートに地紋を印刷する等の隠蔽構造を設ければ、第２のシート側から透かして見た場合も、隠蔽情報表示面に表示された隠蔽情報が視認されることがない。
【００１１】
また、隠蔽情報表示面をそれぞれ具備する第１のシートと第２のシートとが遮光構造を介して互いに剥離不可能に貼着され、第１のシートの隠蔽情報表示面に、宛名表示面を具備するシートが、宛名表示面が表出するように剥離可能に貼着され、第２のシートの隠蔽情報表示面側に少なくとも１枚のシートが積層されて剥離可能に貼着されているものにおいては、太陽光等の強い光に翳して見た場合、第１のシートと第２のシートとの間に介在する遮光構造によって、その光が遮られて全体が透けることがなくなり、それにより、表出した情報を見にくくすることなく、シート上に付与された隠蔽情報を確実に隠蔽することができる。
【発明を実施するための最良の形態】
【００１２】
以下に、本発明の実施の形態について図面を参照して説明する。
【００１３】
（第１の実施の形態）
図１は、本発明の隠蔽シートの第１の実施の形態を示す図であり、（ａ）は全体構成を示す斜視図、（ｂ）は（ａ）に示した第１紙片部１０と第５紙片部５０とを見開いて図中Ａ方向から見た図、（ｃ）は（ａ）に示した第２紙片部２０と第３紙片部３０とを見開いて図中Ｂ方向から見た図、（ｄ）は（ａ）に示した第４紙片部４０と第５紙片部５０とを見開いて図中Ｃ方向から見た図、（ｅ）は（ａ）に示した第１紙片部１０、第２紙片部２０、第３紙片部３０、第４紙片部４０及び第５紙片部５０を貼着した状態における断面図である。
【００１４】
本形態は図１に示すように、第１のシートとなる第１紙片部１０と第２のシートとなる第２紙片部２０とが折り部６１を介して連接し、第２紙片部２０と第３紙片部３０とが折り部６２を介して連接し、第３紙片部３０と第４紙片部４０とが折り部６３を介して連接し、第４紙片部４０と第５紙片部５０とが折り部６４を介して連接して構成されている。
【００１５】
第１紙片部１０は、一方の面にこの隠蔽シートの送付先の宛名等を印字あるいは記入するための宛名表示領域１１が設けられ、この面が宛名表示面となっている。他方の面には、貼着力が強いことから貼着後の剥離が不可能な粘着剤７１が塗布され、この粘着剤７１によって第１紙片部１０と第２紙片部２０とが剥離不可能に貼着されている。
【００１６】
第２紙片部２０は、第１紙片部１０との貼着面の周縁部を除く全面に遮光構造となる遮光印刷層８０が形成されている。遮光印刷層８０は、例えば、カーボンブラック等の遮光性を有する黒色系塗料が第２紙片部２０上に塗工されることにより形成することが考えられる。また、黒色系塗料ではなく濃色の塗料を塗工することにより遮光印刷層８０を形成してもよく、その塗料の塗工の方法は、版に塗料を付けて行う一般的な印刷や、スクリーン印刷等、適宜の方法を用いて行うことが考えられる。また、その反対側の面には、この隠蔽シートの送付先に隠蔽状態にて通知する隠蔽情報となる明細情報を印字するための明細情報表示領域２１が折り部６２を介して第３紙片部３０に渡って設けられており、この面が隠蔽情報表示面となっている。また、明細情報表示領域２１が設けられた面には、圧力により自己のみが貼着可能で、かつ貼着後の剥離が可能な自己貼着性を有する感圧糊７２が塗布されている。
【００１７】
第３紙片部３０は、折り部６２を介した折り畳み状態にて第２紙片部２０と対向する面に、第２紙片部２０から引き続いて明細情報表示領域２１が設けられているとともに、全面に感圧糊７２が塗布されており、この感圧糊７２によって第２紙片部２０と第３紙片部３０とが剥離可能に貼着される。また、その反対側の面の全面には、貼着力が強いことから貼着後の剥離が不可能な粘着剤７１が塗布され、この粘着剤７１によって第３紙片部３０と第４紙片部４０とが剥離不可能に貼着されている。
【００１８】
第４紙片部４０は、第３紙片部３０との貼着面とは反対側の面に、この隠蔽シートの送付先に隠蔽状態にて通知する隠蔽情報となる明細情報を印字するための明細情報表示領域４１が折り部６４を介して第５紙片部５０に渡って設けられているとともに、その全面に感圧糊７２が塗布されている。
【００１９】
第５紙片部５０は、折り部６４を介した折り畳み状態にて第４紙片部４０と対向する面に、第４紙片部４０から引き続いて明細情報表示領域４１が設けられているとともに、全面に感圧糊７２が塗布されており、この感圧糊７２によって第４紙片部４０と第５紙片部５０とが剥離可能に貼着される。また、その反対側の面の周縁部を除く全面には、地紋が印刷されてなる地紋印刷層５１が形成されている。
【００２０】
以下に、上記のように構成された隠蔽シートの製造方法について説明する。
【００２１】
図２は、図１に示した隠蔽シートの製造方法を説明するための図である。
【００２２】
まず、折り部６１〜６４を介して連接してなる第１紙片部１０、第２紙片部２０、第３紙片部３０、第４紙片部４０及び第５紙片部５０の一方の面にプレ印刷を施すことにより、第１紙片部１０に宛名表示領域１１を設けるとともに、第２紙片部２０、第３紙片部３０、第４紙片部４０及び第５紙片部５０に明細情報表示領域２１，４１を設ける（図２（ａ））。
【００２３】
また、折り部６１〜６４を介して連接してなる第１紙片部１０、第２紙片部２０、第３紙片部３０、第４紙片部４０及び第５紙片部５０の他方の面のうち、第２紙片部２０に、上述したように遮光性を有する黒色系塗料等を塗工することにより遮光印刷層８０を形成するとともに、第５紙片部５０に地紋を印刷することにより地紋印刷層５１を形成する（図２（ｂ））。
【００２４】
次に、第２紙片部２０、第３紙片部３０、第４紙片部４０及び第５紙片部５０の明細情報表示領域２１，４１が設けられた面の全面に感圧糊７２を塗布する（図２（ｃ））。なお、この感圧糊７２は、第２紙片部２０、第３紙片部３０、第４紙片部４０及び第５紙片部５０に塗布された後でも第２紙片部２０、第３紙片部３０、第４紙片部４０及び第５紙片部５０に対して筆記性を持たせることができるものである。
【００２５】
なお、第２紙片部２０、第３紙片部３０、第４紙片部４０及び第５紙片部５０の明細情報表示領域２１，４１が設けられた面に対する感圧糊７２の塗布は、プレ印刷により明細情報表示領域２１，４１を設ける前に行ってもよい。
【００２６】
次に、第１紙片部１０の宛名表示領域１１が設けられた面とは反対側の面の全面に粘着剤７１を塗布するとともに、第３紙片部３０の明細情報表示領域２１が設けられた面とは反対側の面の全面にも粘着剤７１を塗布する（図２（ｄ））。
【００２７】
その後、第１紙片部１０と第２紙片部２０とを、第１紙片部１０の粘着剤７１が塗布された面と第２紙片部２０の遮光印刷層８０が形成された面とが対向するように折り部６１にて折り畳み、第１紙片部１０に塗布された粘着剤７１によって第１紙片部１０と第２紙片部２０とを剥離不可能に貼着するとともに、第３紙片部３０と第４紙片部４０とを、第３紙片部３０の粘着剤７１が塗布された面と第４紙片部４０の明細情報表示領域４１が設けられた面とは反対側の面とが対向するように折り部６３にて折り畳み、第３紙片部３０に塗布された粘着剤７１によって第３紙片部３０と第４紙片部４０とを剥離不可能に貼着し、図１（ａ）に示したような形態とする。
【００２８】
以下に、上述した隠蔽シートの使用方法について説明する。
【００２９】
まず、第１紙片部１０の宛名表示領域１１に、この隠蔽シートの送付先の宛名等を印字するとともに、第２紙片部２０及び第３紙片部３０に設けられた明細情報表示領域２１、並びに第４紙片部４０及び第５紙片部５０に設けられた明細情報表示領域４１に、隠蔽シートの送付先に隠蔽状態にて通知する明細情報をそれぞれ印字する。なお、第２紙片部２０及び第３紙片部３０に設けられた明細情報表示領域２１、並びに第４紙片部４０及び第５紙片部５０に設けられた明細情報表示領域４１においては、感圧糊７２がそれぞれ塗布されているが、感圧糊７２は上述したように第２紙片部２０、第３紙片部３０、第４紙片部４０及び第５紙片部５０に塗布された後でも第２紙片部２０、第３紙片部３０、第４紙片部４０及び第５紙片部５０に対して筆記性を持たせることができるものであるため、第２紙片部２０及び第３紙片部３０に設けられた明細情報表示領域２１、並びに第４紙片部４０及び第５紙片部５０に設けられた明細情報表示領域４１にそれぞれ明細情報を印字することができる。このように、隠蔽シートの送付先毎に異なる宛名情報と明細情報とを同一工程にて印字することにより、宛名情報と明細情報とのマッチングミスが生じることを回避することができる。また、第２紙片部２０、第３紙片部３０、第４紙片部４０及び第５紙片部５０に塗布された感圧糊７２は、上述したように自己のみが貼着可能な自己貼着性を有するものであるため、第２紙片部２０、第３紙片部３０、第４紙片部４０及び第５紙片部５０に感圧糊７２が塗布された後に第２紙片部２０と第３紙片部３０、並びに第４紙片部４０と第５紙片部５０とが貼着される前の状態において、表面がべたついたり、他の物品等と接触してもそれと貼着されてしまったりすることがない。
【００３０】
次に、第１紙片部１０が粘着剤７１によって貼着された第２紙片部２０と、第４紙片部４０が粘着剤７１によって貼着された第３紙片部３０とを、感圧糊７２が塗布された面が内側となるように折り部６２を介して折り畳むとともに、第３紙片部３０が粘着剤７１によって貼着された第４紙片部４０と第５紙片部５０とを、感圧糊７２が塗布された面が内側となるように折り部６４を介して折り畳み、加圧することにより、第１紙片部１０が粘着剤７１によって貼着された第２紙片部２０と、第４紙片部４０が粘着剤７１によって貼着された第３紙片部３０とを貼着するとともに、第３紙片部３０が粘着剤７１によって貼着された第４紙片部４０と第５紙片部５０とを貼着する。これにより、第２紙片部２０には、隠蔽情報表示面側に、第３紙片部３０と第４紙片部４０とからなるシートと、第５紙片部５０からなるシートとが積層され、感圧糊７２によって互いに剥離可能に貼着されていることになる。
【００３１】
このように、第１紙片部１０が粘着剤７１によって貼着された第２紙片部２０と、第４紙片部４０が粘着剤７１によって貼着された第３紙片部３０とが貼着されるとともに、第３紙片部３０が粘着剤７１によって貼着された第４紙片部４０と第５紙片部５０とが貼着された状態で隠蔽シートが送付先に送付されることになる。
【００３２】
図３は、図１に示した隠蔽シートの送付時の状態を示す図であり、（ａ）は第１紙片１０側から見た図、（ｂ）は第５紙片５０側から見た図、（ｃ）は（ａ）に示したＡ−Ａ’断面図である。
【００３３】
上述した隠蔽シートは、送付先への送付時においては、第２紙片部２０と第３紙片部３０とが明細情報表示領域２１が設けられた面が内側となるように折り畳まれ、また、第４紙片部４０と第５紙片部５０とが明細情報表示領域４１が設けられた面が内側となるように折り畳まれ、第２紙片部２０と第３紙片部３０、並びに第４紙片部４０と第５紙片部５０とがそれぞれ貼着された状態となっている。
【００３４】
そのため、図３（ａ）に示すように、隠蔽シートの一方の面側においては、第１紙片部１０のみが表出し、それにより、第１紙片部１０の宛名表示領域１１に印字された宛名情報１１ａが外部から視認可能となっており、この宛名情報１１ａに従って隠蔽シートが送付先に送付されることになる。この際、図３（ｃ）に示すように、表出した第１紙片部１０と明細情報が印字された明細情報表示領域２１，４１をそれぞれ有する第２紙片部２０、第３紙片部３０、第４紙片部４０及び第５紙片部５０との間に遮光印刷層８０が介在しているため、第１紙片部１０側から透かして見られた場合であっても、第１紙片部１０側からの光が遮光印刷層８０によって遮られ、第２紙片部２０、第３紙片部３０、第４紙片部４０及び第５紙片部５０の明細情報表示領域２１，４１にそれぞれ印字された明細情報が透かして見られてしまうことがない。また、第１紙片部１０の宛名情報１１ａが印字された面には、第２紙片部２０、第３紙片部３０、第４紙片部４０及び第５紙片部５０の明細情報表示領域２１，４１にそれぞれ印字された明細情報が第１紙片部１０を透かして判読されてしまうことを不可能とするための地紋等が印刷されていないため、宛名情報１１ａが見にくくなってしまうことがない。
【００３５】
また、図３（ｂ）に示すように、隠蔽シートの他方の面側においては、第５紙片部５０のみが表出する。この第５紙片部５０には、地紋が印刷されることにより地紋印刷層５１が形成されているため、第５紙片部５０側から透かして見られた場合であっても、第２紙片部２０、第３紙片部３０、第４紙片部４０及び第５紙片部５０の明細情報表示領域２１，４１にそれぞれ印字された明細情報が透かして見られてしまうことがない。
【００３６】
このように、図１に示した隠蔽シートにおいては、第２紙片２０と第３紙片部３０とが明細情報表示領域２１が設けられた面が内側となるように折り畳まれ、また、第４紙片部４０と第５紙片部５０とが明細情報表示領域４１が設けられた面が内側となるように折り畳まれ、第２紙片部２０と第３紙片部３０、並びに第４紙片部４０と第５紙片部５０とがそれぞれ貼着された状態で送付されることにより、送付時においては、第２紙片部２０、第３紙片部３０、第４紙片部４０及び第５紙片部５０の明細情報表示領域２１，４１にそれぞれ印字された明細情報が隠蔽され、さらに、明細情報印字領域２１，４１にそれぞれ印字された明細情報が遮光印刷層８０と地紋印刷層５１とに挟まれた状態となっていることにより、この明細情報が透かして見られてしまうことがない。また、遮光印刷層８０が第２紙片部２０に設けられているため、第１紙片部１０側から見た場合に第１紙片部１０が黒ずみにくくなり、それによって宛名情報表示領域１１に印字された宛名情報１１ａが見にくくなってしまうことが回避される。このことは、遮光印刷層８０をスクリーン印刷によって形成した場合も同様の効果として得ることができる。
【００３７】
送付先に届けられた隠蔽シートは、第２紙片部２０と第３紙片部３０、並びに第４紙片部４０と第５紙片部５０とがそれぞれ剥離されて見開かれることになる。
【００３８】
図４は、図１に示した隠蔽シートが見開かれた状態における見開き面を示す図であり、（ａ）は第２紙片部２０と第３紙片部３０との見開き面を示す図、（ｂ）は第４紙片部４０と第５紙片部５０との見開き面を示す図である。
【００３９】
上述した隠蔽シートが送付先に届けられると、第２紙片部２０と第３紙片部３０とが剥離される。第２紙片部２０と第３紙片部３０とを貼着している感圧糊７２は、上述したように貼着後の剥離が可能なものであるため、互いに貼着された第２紙片部２０と第３紙片部３０とを剥離することができる。すると、図４（ａ）に示すように、第２紙片部２０及び第３紙片部３０の明細情報表示領域２１に印字された明細情報２１ａが視認可能となり、隠蔽シートの送付先において、明細情報２１ａが確認されることになる。
【００４０】
また、第４紙片部４０と第５紙片部５０とが剥離される。第４紙片部４０と第５紙片部５０とを貼着している感圧糊７２は、上述したように貼着後の剥離が可能なものであるため、互いに貼着された第４紙片部４０と第５紙片部５０とを剥離することができる。すると、図４（ｂ）に示すように、第４紙片部４０及び第５紙片部５０の明細情報表示領域４１に印字された明細情報４１ａが視認可能となり、隠蔽シートの送付先において、明細情報４１ａが確認されることになる。
【００４１】
（第２の実施の形態）
図５は、本発明の隠蔽シートの第２の実施の形態を示す図であり、（ａ）は全体構成を示す斜視図、（ｂ）は（ａ）に示した第１紙片部１１０と第６紙片部１９０とを見開いて図中Ａ方向から見た図、（ｃ）は（ａ）に示した第２紙片部１２０と第３紙片部１３０とを見開いて図中Ｂ方向から見た図、（ｄ）は（ａ）に示した第４紙片部１４０と第５紙片部１５０とを見開いて図中Ｃ方向から見た図、（ｅ）は（ａ）に示した第５紙片部１５０と第６紙片部１９０とを見開いて図中Ｄ方向から見た図、（ｆ）は（ａ）に示した第１紙片部１１０、第２紙片部１２０、第３紙片部１３０、第４紙片部１４０、第５紙片部１５０及び第６紙片部１９０を貼着した状態における断面図である。
【００４２】
本形態は図５に示すように、第１のシートとなる第１紙片部１１０と第２のシートとなる第２紙片部１２０とが折り部１６１を介して連接し、第２紙片部１２０と第３紙片部１３０とが折り部１６２を介して連接し、第３紙片部１３０と第４紙片部１４０とが折り部１６３を介して連接し、第４紙片部１４０と第５紙片部１５０とが折り部１６４を介して連接し、第５紙片部１５０と第６紙片部１９０とが折り部１６５を介して連接して構成されている。
【００４３】
第１紙片部１１０は、一方の面にこの隠蔽シートの送付先の宛名等を印字あるいは記入するための宛名表示領域１１１が設けられ、この面が宛名表示面となっている。他方の面には、貼着力が強いことから貼着後の剥離が不可能な粘着剤１７１が塗布され、この粘着剤１７１によって第１紙片部１１０と第２紙片部１２０とが剥離不可能に貼着されている。
【００４４】
第２紙片部１２０は、第１紙片部１１０との貼着面の周縁部を除く全面に遮光構造となる遮光印刷層１８０が形成されている。遮光印刷層１８０は、例えば、第１の実施の形態にて示したように形成することが考えられる。また、その反対側の面には、この隠蔽シートの送付先に隠蔽状態にて通知する隠蔽情報となる明細情報を印字するための明細情報表示領域１２１が折り部１６２を介して第３紙片部１３０に渡って設けられており、この面が隠蔽情報表示面となっている。また、明細情報表示領域１２１が設けられた面には、圧力により自己のみが貼着可能で、かつ貼着後の剥離が可能な自己貼着性を有する感圧糊１７２が塗布されている。
【００４５】
第３紙片部１３０は、折り部１６２を介した折り畳み状態にて第２紙片部１２０と対向する面に、第２紙片部１２０から引き続いて明細情報表示領域１２１が設けられているとともに、全面に感圧糊１７２が塗布されており、この感圧糊１７２によって第２紙片部１２０と第３紙片部１３０とが剥離可能に貼着される。また、その反対側の面の全面には、貼着力が強いことから貼着後の剥離が不可能な粘着剤１７１が塗布され、この粘着剤１７１によって第３紙片部１３０と第４紙片部１４０とが剥離不可能に貼着されている。
【００４６】
第４紙片部１４０は、第３紙片部１３０との貼着面とは反対側の面に、この隠蔽シートの送付先に隠蔽状態にて通知する隠蔽情報となる明細情報を印字するための明細情報表示領域１４１が折り部１６４を介して第５紙片部１５０に渡って設けられているとともに、その全面に感圧糊１７２が塗布されている。
【００４７】
第５紙片部１５０は、折り部１６４を介した折り畳み状態にて第４紙片部１４０と対向する面に、第４紙片部１４０から引き続いて明細情報表示領域１４１が設けられているとともに、全面に感圧糊１７２が塗布されており、この感圧糊１７２によって第４紙片部１４０と第５紙片部１５０とが剥離可能に貼着される。また、その反対側の面には、この隠蔽シートの送付先に隠蔽状態にて通知する契約内容を印字するための契約内容表示領域１５２が折り部１６５を介して第６紙片部１９０に渡って設けられているとともに、その全面に感圧糊１７２が塗布されている。
【００４８】
第６紙片部１９０は、折り部１６５を介した折り畳み状態にて第５紙片部１５０と対向する面に、第５紙片部１５０から引き続いて契約内容表示領域１５２が設けられているとともに、全面に感圧糊１７２が塗布されており、この感圧糊１７２によって第５紙片部１５０と第６紙片部１９０とが剥離可能に貼着される。また、その反対側の面の周縁部を除く全面には、地紋が印刷されてなる地紋印刷層１９１が形成されている。
【００４９】
以下に、上記のように構成された隠蔽シートの製造方法について説明する。
【００５０】
図６は、図５に示した隠蔽シートの製造方法を説明するための図である。
【００５１】
まず、折り部１６１〜１６５を介して連接してなる第１紙片部１１０、第２紙片部１２０、第３紙片部１３０、第４紙片部１４０、第５紙片部１５０及び第６紙片部１９０の一方の面にプレ印刷を施すことにより、第１紙片部１１０に宛名表示領域１１１を設けるとともに、第２紙片部１２０、第３紙片部１３０、第４紙片部１４０及び第５紙片部１５０に明細情報表示領域１２１，１４１を設け、さらに、第６紙片部１９０に地紋を印刷することにより地紋印刷層１９１を形成する（図６（ａ））。
【００５２】
また、折り部１６１〜１６５を介して連接してなる第１紙片部１１０、第２紙片部１２０、第３紙片部１３０、第４紙片部１４０、第５紙片部１５０及び第６紙片部１９０の他方の面のうち、第２紙片部１２０に遮光印刷層１８０を形成するとともに、第５紙片部１５０及び第６紙片部１９０にプレ印刷を施すことにより契約内容表示領域１５２を設ける（図６（ｂ））。
【００５３】
次に、第２紙片部１２０、第３紙片部１３０、第４紙片部１４０及び第５紙片部１５０の明細情報表示領域１２１，１４１が設けられた面の全面に感圧糊１７２を塗布する（図６（ｃ））。なお、この感圧糊１７２は、第１の実施の形態にて示したものと同様に、第２紙片部１２０、第３紙片部１３０、第４紙片部１４０及び第５紙片部１５０に塗布された後でも第２紙片部１２０、第３紙片部１３０、第４紙片部１４０及び第５紙片部１５０に対して筆記性を持たせることができるものである。
【００５４】
なお、第２紙片部１２０、第３紙片部１３０、第４紙片部１４０及び第５紙片部１５０の明細情報表示領域１２１，１４１が設けられた面に対する感圧糊１７２の塗布は、プレ印刷により明細情報表示領域１２１，１４１を設ける前に行ってもよい。
【００５５】
次に、第１紙片部１１０の宛名表示領域１１１が設けられた面とは反対側の面の全面に粘着剤１７１を塗布するとともに、第３紙片部１３０の明細情報表示領域１２１が設けられた面とは反対側の面の全面にも粘着剤１７１を塗布し、また、第５紙片部１５０及び第６紙片部１９０の契約内容表示領域１５２が設けられた面の全面に感圧糊１７２を塗布する（図６（ｄ））。
【００５６】
その後、第１紙片部１１０と第２紙片部１２０とを、第１紙片部１１０の粘着剤１７１が塗布された面と第２紙片部１２０の遮光印刷層１８０が形成された面とが対向するように折り部１６１にて折り畳み、第１紙片部１１０に塗布された粘着剤１７１によって第１紙片部１１０と第２紙片部１２０とを剥離不可能に貼着するとともに、第３紙片部１３０と第４紙片部１４０とを、第３紙片部１３０の粘着剤１７１が塗布された面と第４紙片部１４０の明細情報表示領域１４１が設けられた面とは反対側の面とが対向するように折り部１６３にて折り畳み、第３紙片部１３０に塗布された粘着剤１７１によって第３紙片部１３０と第４紙片部１４０とを剥離不可能に貼着し、図５（ａ）に示したような形態とする。
【００５７】
以下に、上述した隠蔽シートの使用方法について説明する。
【００５８】
まず、第１紙片部１１０の宛名表示領域１１１に、この隠蔽シートの送付先の宛名等を印字するとともに、第２紙片部１２０及び第３紙片部１３０に設けられた明細情報表示領域１２１、並びに第４紙片部１４０及び第５紙片部１５０に設けられた明細情報表示領域１４１に、隠蔽シートの送付先に隠蔽状態にて通知する明細情報をそれぞれ印字し、さらに、第５紙片部１５０及び第６紙片部１９０に設けられた契約内容表示領域１５２に、隠蔽シートの送付先に隠蔽状態にて通知する契約内容を印字する。なお、第２紙片部１２０及び第３紙片部１３０に設けられた明細情報表示領域１２１、第４紙片部１４０及び第５紙片部１５０に設けられた明細情報表示領域１４１、並びに第５紙片部１５０及び第６紙片部１９０に設けられた契約内容表示領域１５２においては、感圧糊１７２がそれぞれ塗布されているが、感圧糊１７２は上述したように第２紙片部１２０、第３紙片部１３０、第４紙片部１４０、第５紙片部１５０及び第６紙片部１９０に塗布された後でも第２紙片部１２０、第３紙片部１３０、第４紙片部１４０、第５紙片部１５０及び第６紙片部１９０に対して筆記性を持たせることができるものであるため、第２紙片部１２０及び第３紙片部１３０に設けられた明細情報表示領域１２１、並びに第４紙片部１４０及び第５紙片部１５０に設けられた明細情報表示領域１４１にそれぞれ明細情報を印字することができるとともに、第５紙片部１５０及び第６紙片部１９０に設けられた契約内容表示領域１５２に契約内容を印字することができる。このように、隠蔽シートの送付先毎に異なる宛名情報と明細情報及び契約内容とを同一工程にて印字することにより、宛名情報と明細情報及び契約内容とのマッチングミスが生じることを回避することができる。また、第２紙片部１２０、第３紙片部１３０、第４紙片部１４０、第５紙片部１５０及び第６紙片部１９０に塗布された感圧糊１７２は、上述したように自己のみが貼着可能な自己貼着性を有するものであるため、第２紙片部１２０、第３紙片部１３０、第４紙片部１４０、第５紙片部１５０及び第６紙片部１９０に感圧糊１７２が塗布された後に第２紙片部１２０と第３紙片部１３０、第４紙片部１４０と第５紙片部１５０、並びに第５紙片部１５０と第６紙片部１９０とが貼着される前の状態において、表面がべたついたり、他の物品等と接触してもそれと貼着されてしまったりすることがない。
【００５９】
次に、第１紙片部１１０が粘着剤１７１によって貼着された第２紙片部１２０と、第４紙片部１４０が粘着剤１７１によって貼着された第３紙片部１３０とを、感圧糊１７２が塗布された面が内側となるように折り部１６２を介して折り畳むとともに、第３紙片部１３０が粘着剤１７１によって貼着された第４紙片部１４０と第５紙片部１５０とを、感圧糊１７２が塗布された面が内側となるように折り部１６４を介して折り畳み、さらに、第５紙片部１５０と第６紙片部１９０とを、感圧糊１７２が塗布された面が内側となるように折り部１６５を介して折り畳み、加圧することにより、第１紙片部１１０が粘着剤１７１によって貼着された第２紙片部１２０と、第４紙片部１４０が粘着剤１７１によって貼着された第３紙片部１３０とを貼着するとともに、第３紙片部１３０が粘着剤１７１によって貼着された第４紙片部１４０と第５紙片部１５０とを貼着し、さらに、第５紙片部１５０と第６紙片部１９０とを貼着する。これにより、第２紙片部１２０には、隠蔽情報表示面側に、第３紙片部１３０と第４紙片部１４０とからなるシートと、第５紙片部１５０からなるシートと、第６紙片部１９０からなるシートとが積層され、感圧糊１７２によって互いに剥離可能に貼着されていることになる。
【００６０】
このように、第１紙片部１１０が粘着剤１７１によって貼着された第２紙片部１２０と、第４紙片部１４０が粘着剤１７１によって貼着された第３紙片部１３０とが貼着されるとともに、第３紙片部１３０が粘着剤１７１によって貼着された第４紙片部１４０と第５紙片部１５０とが貼着され、さらに、第５紙片部１５０と第６紙片部１９０とが貼着された状態で隠蔽シートが送付先に送付されることになる。
【００６１】
図７は、図５に示した隠蔽シートの送付時の状態を示す図であり、（ａ）は第１紙片１１０側から見た図、（ｂ）は第６紙片１９０側から見た図、（ｃ）は（ａ）に示したＡ−Ａ’断面図である。
【００６２】
上述した隠蔽シートは、送付先への送付時においては、第２紙片部１２０と第３紙片部１３０とが明細情報表示領域１２１が設けられた面が内側となるように折り畳まれ、また、第４紙片部１４０と第５紙片部１５０とが明細情報表示領域１４１が設けられた面が内側となるように折り畳まれ、また、第５紙片部１５０と第６紙片部１９０とが契約内容表示領域１５２が内側となるように折り畳まれ、第２紙片部１２０と第３紙片部１３０、第４紙片部１４０と第５紙片部１５０、並びに第５紙片部１５０と第６紙片部１９０とがそれぞれ貼着された状態となっている。
【００６３】
そのため、図７（ａ）に示すように、隠蔽シートの一方の面側においては、第１紙片部１１０のみが表出し、それにより、第１紙片部１１０の宛名表示領域１１１に印字された宛名情報１１１ａが外部から視認可能となっており、この宛名情報１１１ａに従って隠蔽シートが送付先に送付されることになる。この際、図７（ｃ）に示すように、表出した第１紙片部１１０と、明細情報が印字された明細情報表示領域１２１，１４１をそれぞれ有する第２紙片部１２０、第３紙片部１３０、第４紙片部１４０及び第５紙片部１５０、並びに契約内容が印字された契約内容表示領域１５２を有する第５紙片部１５０及び第６紙片部１９０との間に遮光印刷層１８０が介在しているため、第１紙片部１１０側から透かして見られた場合であっても、第１紙片部１１０側からの光が遮光印刷層１８０によって遮られ、第２紙片部１２０、第３紙片部１３０、第４紙片部１４０及び第５紙片部１５０の明細情報表示領域１２１，１４１にそれぞれ印字された明細情報や、第５紙片部１５０及び第６紙片部１９０の契約内容表示領域１５２に印字された契約内容が透かして見られてしまうことがない。また、第１紙片部１１０の宛名情報１１１ａが印字された面には、第２紙片部１２０、第３紙片部１３０、第４紙片部１４０及び第５紙片部１５０の明細情報表示領域１２１，１４１にそれぞれ印字された明細情報や、第５紙片部１５０及び第６紙片部１９０の契約内容表示領域１５２に印字された契約内容が第１紙片部１１０を透かして判読されてしまうことを不可能とするための地紋等が印刷されていないため、宛名情報１１１ａが見にくくなってしまうことがない。
【００６４】
また、図７（ｂ）に示すように、隠蔽シートの他方の面側においては、第６紙片部１９０のみが表出する。この第６紙片部１９０の表出面には、地紋が印刷されることにより地紋印刷層１９１が形成されているため、第６紙片部１９０側から透かして見られた場合であっても、第２紙片部１２０、第３紙片部１３０、第４紙片部１４０及び第５紙片部１５０の明細情報表示領域１２１，１４１にそれぞれ印字された明細情報や、第５紙片部１５０及び第６紙片部１９０の契約内容表示領域１５２に印字された契約内容が透かして見られてしまうことがない。
【００６５】
このように、図５に示した隠蔽シートにおいては、第２紙片１２０と第３紙片部１３０とが明細情報表示領域１２１が設けられた面が内側となるように折り畳まれ、また、第４紙片部１４０と第５紙片部１５０とが明細情報表示領域１４１が設けられた面が内側となるように折り畳まれ、第２紙片部１２０と第３紙片部１３０、並びに第４紙片部１４０と第５紙片部１５０とがそれぞれ貼着された状態で送付されることにより、送付時においては、第２紙片部１２０、第３紙片部１３０、第４紙片部１４０及び第５紙片部１５０の明細情報表示領域１２１，１４１にそれぞれ印字された明細情報が隠蔽され、さらに、明細情報印字領域１２１，１４１にそれぞれ印字された明細情報が遮光印刷層１８０と地紋印刷層１５１とに挟まれた状態となっていることにより、この明細情報が透かして見られてしまうことがない。また、第５紙片部１５０及び第６紙片部１９０の契約内容表示領域１５２に印字された契約内容についても、第５紙片１５０と第６紙片部１９０とが契約内容表示領域１５２が設けられた面が内側となるように折り畳まれ、互いに貼着された状態で送付されることにより、送付時においては隠蔽され、また、遮光印刷層１８０と地紋印刷層１５１とに挟まれた状態となっていることにより透かして見られてしまうことがない。また、第１の実施の形態にて示したものと同様に、遮光印刷層１８０が第２紙片部１２０に設けられているため、第１紙片部１１０側から見た場合に第１紙片部１１０が黒ずみにくくなり、それによって宛名情報表示領域１１１に印字された宛名情報１１１ａが見にくくなってしまうことが回避される。このことは、遮光印刷層１８０をスクリーン印刷によって形成した場合も同様の効果として得ることができる。
【００６６】
送付先に届けられた隠蔽シートは、第２紙片部１２０と第３紙片部１３０、第４紙片部１４０と第５紙片部１５０、並びに第５紙片部１５０と第６紙片部１９０とがそれぞれ剥離されて見開かれることになる。
【００６７】
図８は、図５に示した隠蔽シートが見開かれた状態における見開き面を示す図であり、（ａ）は第２紙片部１２０と第３紙片部１３０との見開き面を示す図、（ｂ）は第４紙片部１４０と第５紙片部１５０との見開き面を示す図、（ｃ）は第５紙片部１５０と第６紙片部１９０との見開き面を示す図である。
【００６８】
上述した隠蔽シートが送付先に届けられると、第２紙片部１２０と第３紙片部１３０とが剥離される。第２紙片部１２０と第３紙片部１３０とを貼着している感圧糊１７２は、上述したように貼着後の剥離が可能なものであるため、互いに貼着された第２紙片部１２０と第３紙片部１３０とを剥離することができる。すると、図８（ａ）に示すように、第２紙片部１２０及び第３紙片部１３０の明細情報表示領域１２１に印字された明細情報１２１ａが視認可能となり、隠蔽シートの送付先において、明細情報１２１ａが確認されることになる。
【００６９】
また、第４紙片部１４０と第５紙片部１５０とが剥離される。第４紙片部１４０と第５紙片部１５０とを貼着している感圧糊１７２は、上述したように貼着後の剥離が可能なものであるため、互いに貼着された第４紙片部１４０と第５紙片部１５０とを剥離することができる。すると、図８（ｂ）に示すように、第４紙片部１４０及び第５紙片部１５０の明細情報表示領域１４１に印字された明細情報１４１ａが視認可能となり、隠蔽シートの送付先において、明細情報１４１ａが確認されることになる。
【００７０】
また、第５紙片部１５０と第６紙片部１９０とが剥離される。第５紙片部１５０と第６紙片部１９０とを貼着している感圧糊１７２は、上述したように貼着後の剥離が可能なものであるため、互いに貼着された第５紙片部１５０と第６紙片部１９０とを剥離することができる。すると、図８（ｃ）に示すように、第５紙片部１５０及び第６紙片部１９０の契約内容表示領域１５２に印字された契約内容１５２ａが視認可能となり、隠蔽シートの送付先において、契約内容１５２が確認されることになる。
【００７１】
なお、本形態にて示した隠蔽シートの第６紙片部１９０にさらに紙片部を折り畳み可能に連接し、これらを剥離可能に貼着する構成とすることも考えられる。
【００７２】
また、本形態においては、第６紙片部１９０と第５紙片部１５０とが折り部１６５にて折り畳まれて感圧糊１７２によって剥離可能に貼着され、第６紙片部１９０の貼着面とは反対側の面に地紋印刷層１９１が形成されているが、それに限らず、第６紙片部１９０と第５紙片部１５０とが、感圧糊１７２ではなく貼着後の剥離が不可能な粘着剤１７１によって貼着されていても良く、その際、遮光構造である地紋印刷層１９１が第６紙片部１９０と第５紙片部１５０の間に設けられていても良い。この場合、剥離する前の貼着状態において、宛名面と反対側の外面にも地紋印刷層を設けないで済み、意匠性を高めながらも両面からの透けを防止することができる。
【００７３】
また、上述した２つの実施の形態においては、折り畳み状態にて第１紙片部１０，１１０とは反対側に表出する第５紙片部５０や第６紙片部１９０に、地紋が印刷されることにより地紋印刷層５１，１９１が形成されているが、明細情報や契約内容が透かして見えないものであればこれに限らず、例えば、第２紙片部２０，１２０に形成された遮光印刷層８０，１８０を設けることも考えられる。
【００７４】
（他の実施の形態）
図９は、本発明の隠蔽シートの他の実施の形態を示す断面図である。
【００７５】
本形態は図９に示すように、第３紙片部３３０と第２紙片部３２０と第４紙片部３４０とが折り部３６１，３６２を介して連接し、このうち第２のシートとなる第２紙片部３２０の一方の面に遮光構造となる遮光印刷層３８０が形成され、第２紙片部３２０の遮光印刷層３８０が形成された面が第１のシートとなる第１紙片部３１０に粘着剤３７１によって剥離不可能に貼着されて構成されている。
【００７６】
本形態における隠蔽シートは、例えば図９（ａ）に示すように、第２紙片部３２０と第３紙片部３３０とを、これらが互いに対向するように折り部３６１にて折り畳んで感圧糊３７２によって剥離可能に貼着し、また、第２紙片部３２０と第４紙片部３４０とを、第３紙片部３３０の第２紙片部３２０との貼着面とは反対側の面と第４紙片部３４０とが対向するように折り部３６２を介して折り畳み、第４紙片部３４０を感圧糊３７２によって第３紙片部３３０に剥離可能に貼着することが考えられる。この場合、第１紙片部３１０の第２紙片部３２０との貼着面とは反対側の面が宛名表示面となり、また、第２紙片部３２０の第３紙片部３３０との貼着面、第３紙片部３３０の両面、並びに第４紙片部３４０の第３紙片部３３０との貼着面をそれぞれ隠蔽情報表示面とすることができる。なお、第４紙片部３４０の第３紙片部３３０との貼着面とは反対側の面に地紋を印刷する等による隠蔽構造を設けることが好ましい。
【００７７】
このように折り畳まれた場合は、表出した第１紙片部３１０と隠蔽情報表示面との間に遮光印刷層３８０が介在しているため、第１紙片部３１０側から透かして見られた場合であっても、第１紙片部３１０側からの光が遮光印刷層３８０によって遮られ、隠蔽情報表示面に印字された隠蔽情報が透かして見られてしまうことがなくなる。
【００７８】
また、図９（ｂ）に示すように、第２紙片部３２０と第３紙片部３３０とを、これらの間に第１紙片部３１０が介在するように折り部３６１にて折り畳み、第３紙片部３３０を感圧糊３７２によって第１紙片部３１０と剥離可能に貼着し、また、第２紙片部３２０と第４紙片部３４０とを、これらが互いに対向するように折り部３６２にて折り畳んで感圧糊３７２によって剥離可能に貼着することも考えられる。この場合、第３紙片部３３０の第１紙片部３１０との貼着面とは反対側の面が宛名表示面となって表出し、また、第３紙片部３３０の第１紙片部３１０との貼着面、第１紙片部３１０の第３紙片部３３０との貼着面、第２紙片部３２０の第４紙片部３４０との貼着面、並びに第４紙片部３４０の第２紙片部３２０との貼着面をそれぞれ隠蔽情報表示面とすることができる。この場合においても、第４紙片部３４０の第２紙片部３２０との貼着面とは反対側の面に地紋を印刷する等による隠蔽構造を設けることが好ましい。また、第４紙片部３４０の第２紙片部３２０とは反対側にさらに複数の紙片部を折り部を介して連接させ、これらを折り畳んで剥離可能に貼着することも考えられる。
【００７９】
このように折り畳まれた場合は、太陽光等の強い光に翳して見た際、第１紙片部３１０と第２紙片部３２０との間に介在する遮光印刷層３８０によって、その光が遮られて全体が透けることがなくなり、隠蔽情報表示面に表示された隠蔽情報が視認されることがなくなる。
【００８０】
図１０は、本発明の隠蔽シートの他の実施の形態を示す断面図である。
【００８１】
本形態は図１０に示すように、第３紙片部４３０と第１紙片部４１０と第４紙片部４４０とが折り部４６１，４６２を介して連接し、このうち第１のシートとなる第１紙片部４１０の一方の面に第２のシートとなる第２紙片部４２０が粘着剤４７１によって剥離不可能に貼着され、第２紙片部４２０の第１紙片部４１０との貼着面に遮光構造となる遮光印刷層４８０が形成されて構成されている。
【００８２】
本形態における隠蔽シートは、例えば図１０（ａ）に示すように、第１紙片部４１０と第３紙片部４３０とを、これらの間に第２紙片部４２０が介在するように折り部４６１にて折り畳み、第３紙片部４３０を感圧糊４７２によって第２紙片部４２０と剥離可能に貼着し、また、第１紙片部４１０と第４紙片部４４０とを、第３紙片部４３０の第２紙片部４２０との貼着面とは反対側の面と第４紙片部４４０とが対向するように折り部４６２を介して折り畳み、第４紙片部４４０を感圧糊４７２によって第３紙片部４３０に剥離可能に貼着することが考えられる。この場合、第１紙片部４１０の第２紙片部４２０との貼着面とは反対側の面が宛名表示面となり、また、第２紙片部４２０の第３紙片部４３０との貼着面、第３紙片部４３０の両面、並びに第４紙片部４４０の第３紙片部４３０との貼着面をそれぞれ隠蔽情報表示面とすることができる。なお、第４紙片部４４０の第３紙片部４３０との貼着面とは反対側の面に地紋を印刷する等による隠蔽構造を設けることが好ましい。
【００８３】
このように折り畳まれた場合は、表出した第１紙片部４１０と隠蔽情報表示面との間に遮光印刷層４８０が介在しているため、第１紙片部４１０側から透かして見られた場合であっても、第１紙片部４１０側からの光が遮光印刷層４８０によって遮られ、隠蔽情報表示面に印字された隠蔽情報が透かして見られてしまうことがなくなる。
【００８４】
また、図１０（ｂ）に示すように、第１紙片部４１０と第３紙片部４３０とを、これらが互いに対向するように折り部４６１にて折り畳んで感圧糊４７２によって剥離可能に貼着し、また、第１紙片部４１０と第４紙片部４４０とを、これらの間に第２紙片部４２０が介在するように折り部４６２にて折り畳み、第４紙片部４４０を感圧糊４７２によって第２紙片部４２０と剥離可能に貼着することも考えられる。この場合、第３紙片部４３０の第１紙片部４１０との貼着面とは反対側の面が宛名表示面となって表出し、また、第３紙片部４３０の第１紙片部４１０との貼着面、第１紙片部４１０の第３紙片部４３０との貼着面、第２紙片部４２０の第４紙片部４４０との貼着面、並びに第４紙片部４４０の第２紙片部４２０との貼着面をそれぞれ隠蔽情報表示面とすることができる。この場合においても、第４紙片部４４０の第２紙片部４２０との貼着面とは反対側の面に地紋を印刷する等による隠蔽構造を設けることが好ましい。また、第４紙片部４４０の第１紙片部４１０とは反対側にさらに複数の紙片部を折り部を介して連接させ、これらを折り畳んで剥離可能に貼着することも考えられる。
【００８５】
このように折り畳まれた場合は、太陽光等の強い光に翳して見た際、第１紙片部４１０と第２紙片部４２０との間に介在する遮光印刷層４８０によって、その光が遮られて全体が透けることがなくなり、隠蔽情報表示面に表示された隠蔽情報が視認されることがなくなる。
【００８６】
図１１は、本発明の隠蔽シートの他の実施の形態を示す断面図である。
【００８７】
本形態は図１１に示すように、第１のシートとなる第１紙片部５１０と第３紙片部５３０とが折り部５６１を介して連接し、第２のシートとなる第２紙片部５２０と第４紙片部５４０とが折り部５６２を介して連接し、第１紙片部５１０と第２紙片部５２０とが粘着剤５７１によって剥離不可能に貼着され、第２紙片部５２０の第１紙片部５１０との貼着面に遮光構造となる遮光印刷層５８０が形成されて構成されている。
【００８８】
本形態における隠蔽シートは、例えば図１１（ａ）に示すように、第１紙片部５１０と第３紙片部５３０とを、これらの間に第２紙片部５２０が介在するように折り部５６１にて折り畳み、第３紙片部５３０を感圧糊５７２によって第２紙片部５２０と剥離可能に貼着し、また、第２紙片部５２０と第４紙片部５４０とを、第３紙片部５３０の第２紙片部５２０との貼着面とは反対側の面と第４紙片部５４０とが対向するように折り部５６２を介して折り畳み、第４紙片部５４０を感圧糊５７２によって第３紙片部５３０に剥離可能に貼着することが考えられる。この場合、第１紙片部５１０の第２紙片部５２０との貼着面とは反対側の面が宛名表示面となり、また、第２紙片部５２０の第３紙片部５３０との貼着面、第３紙片部５３０の両面、並びに第４紙片部５４０の第３紙片部５３０との貼着面をそれぞれ隠蔽情報表示面とすることができる。なお、第４紙片部５４０の第３紙片部５３０との貼着面とは反対側の面に地紋を印刷する等による隠蔽構造を設けることが好ましい。
【００８９】
このように折り畳まれた場合は、表出した第１紙片部５１０と隠蔽情報表示面との間に遮光印刷層５８０が介在しているため、第１紙片部５１０側から透かして見られた場合であっても、第１紙片部５１０側からの光が遮光印刷層５８０によって遮られ、隠蔽情報表示面に印字された隠蔽情報が透かして見られてしまうことがなくなる。
【００９０】
また、図１１（ｂ）に示すように、第１紙片部５１０と第３紙片部５３０とを、これらが互いに対向するように折り部５６１にて折り畳んで感圧糊５７２によって剥離可能に貼着し、また、第２紙片部５２０と第４紙片部５４０とを、これらが互いに対向するように折り部５６２にて折り畳んで感圧糊５７２によって剥離可能に貼着することも考えられる。この場合、第３紙片部５３０の第１紙片部５１０との貼着面とは反対側の面が宛名表示面となって表出し、また、第３紙片部５３０の第１紙片部５１０との貼着面、第１紙片部５１０の第３紙片部５３０との貼着面、第２紙片部５２０の第４紙片部５４０との貼着面、並びに第４紙片部５４０の第２紙片部５２０との貼着面をそれぞれ隠蔽情報表示面とすることができる。この場合においても、第４紙片部５４０の第２紙片部５２０との貼着面とは反対側の面に地紋を印刷する等による隠蔽構造を設けることが好ましい。また、第４紙片部５４０の第２紙片部５２０とは反対側にさらに複数の紙片部を折り部を介して連接させ、これらを折り畳んで剥離可能に貼着することも考えられる。
【００９１】
このように折り畳まれた場合は、太陽光等の強い光に翳して見た際、第１紙片部５１０と第２紙片部５２０との間に介在する遮光印刷層５８０によって、その光が遮られて全体が透けることがなくなり、隠蔽情報表示面に表示された隠蔽情報が視認されることがなくなる。
【００９２】
図１２は、本発明の隠蔽シートの他の実施の形態を示す断面図である。
【００９３】
本形態は図１２に示すように、第２紙片部６２０と第３紙片部６３０と第４紙片部６４０とが折り部６６１，６６２を介して連接し、このうち第２のシートとなる第２紙片部６２０の一方の面に遮光構造となる遮光印刷層６８０が形成され、第２紙片部６２０の遮光印刷層６８０が形成された面が第１のシートとなる第１紙片部６１０に粘着剤６７１によって剥離不可能に貼着されて構成されている。そして、第２紙片部６２０と第３紙片部６３０とが、これらが互いに対向するように折り部６６１にて折り畳まれて感圧糊６７２によって剥離可能に貼着され、また、第３紙片部６３０と第４紙片部６４０とが、これらが互いに対向するように折り部６６２にて折り畳まれて感圧糊６７２によって剥離可能に貼着されている。この場合、第１紙片部６１０の第２紙片部６２０との貼着面とは反対側の面が宛名表示面となり、また、第２紙片部６２０の第３紙片部６３０との貼着面、第３紙片部６３０の両面、並びに第４紙片部６４０の第３紙片部６３０との貼着面をそれぞれ隠蔽情報表示面とすることができる。なお、第４紙片部６４０の第３紙片部６３０との貼着面とは反対側の面に地紋を印刷する等による隠蔽構造を設けることが好ましい。
【００９４】
図１３は、本発明の隠蔽シートの他の実施の形態を示す断面図である。
【００９５】
本形態は図１３に示すように、第１紙片部７１０と第３紙片部７３０と第４紙片部７４０とが折り部７６１，７６２を介して連接し、このうち第１のシートとなる第１紙片部７１０の一方の面に第２のシートとなる第２紙片部７２０が粘着剤７７１によって剥離不可能に貼着され、第２紙片部７２０の第１紙片部７１０との貼着面に遮光構造となる遮光印刷層７８０が形成されて構成されている。そして、第１紙片部７１０と第３紙片部７３０とが、これらの間に第２紙片部７２０が介在するように折り部７６１にて折り畳まれ、第３紙片部７３０が感圧糊７７２によって第２紙片部７２０と剥離可能に貼着され、第３紙片部７３０と第４紙片部７４０とが、これらが互いに対向するように折り部７６２にて折り畳まれて感圧糊７７２によって剥離可能に貼着されている。この場合、第１紙片部７１０の第２紙片部７２０との貼着面とは反対側の面が宛名表示面となり、また、第２紙片部７２０の第３紙片部７３０との貼着面、第３紙片部７３０の両面、並びに第４紙片部７４０の第３紙片部７３０との貼着面をそれぞれ隠蔽情報表示面とすることができる。なお、第４紙片部７４０の第３紙片部７３０との貼着面とは反対側の面に地紋を印刷する等による隠蔽構造を設けることが好ましい。
【００９６】
なお、上述した実施の形態においては、複数の紙片部が折り部を介して連接し、これらを折り部にて折り畳んで貼着するものを例に挙げて説明したが、本発明においては、互いに貼着される紙片部は必ずしも連接している必要はない。
【図面の簡単な説明】
【００９７】
【図１】本発明の隠蔽シートの第１の実施の形態を示す図であり、（ａ）は全体構成を示す斜視図、（ｂ）は（ａ）に示した第１紙片部と第５紙片部とを見開いて図中Ａ方向から見た図、（ｃ）は（ａ）に示した第２紙片部と第３紙片部とを見開いて図中Ｂ方向から見た図、（ｄ）は（ａ）に示した第４紙片部と第５紙片部とを見開いて図中Ｃ方向から見た図、（ｅ）は（ａ）に示した第１紙片部、第２紙片部、第３紙片部、第４紙片部及び第５紙片部を貼着した状態における断面図である。
【図２】図１に示した隠蔽シートの製造方法を説明するための図である。
【図３】図１に示した隠蔽シートの送付時の状態を示す図であり、（ａ）は第１紙片側から見た図、（ｂ）は第５紙片側から見た図、（ｃ）は（ａ）に示したＡ−Ａ’断面図である。
【図４】図１に示した隠蔽シートが見開かれた状態における見開き面を示す図であり、（ａ）は第２紙片部と第３紙片部との見開き面を示す図、（ｂ）は第４紙片部と第５紙片部との見開き面を示す図である。
【図５】本発明の隠蔽シートの第２の実施の形態を示す図であり、（ａ）は全体構成を示す斜視図、（ｂ）は（ａ）に示した第１紙片部と第６紙片部とを見開いて図中Ａ方向から見た図、（ｃ）は（ａ）に示した第２紙片部と第３紙片部とを見開いて図中Ｂ方向から見た図、（ｄ）は（ａ）に示した第４紙片部と第５紙片部とを見開いて図中Ｃ方向から見た図、（ｅ）は（ａ）に示した第５紙片部と第６紙片部とを見開いて図中Ｄ方向から見た図、（ｆ）は（ａ）に示した第１紙片部、第２紙片部、第３紙片部、第４紙片部、第５紙片部及び第６紙片部を貼着した状態における断面図である。
【図６】図５に示した隠蔽シートの製造方法を説明するための図である。
【図７】図５に示した隠蔽シートの送付時の状態を示す図であり、（ａ）は第１紙片側から見た図、（ｂ）は第６紙片側から見た図、（ｃ）は（ａ）に示したＡ−Ａ’断面図である。
【図８】図５に示した隠蔽シートが見開かれた状態における見開き面を示す図であり、（ａ）は第２紙片部と第３紙片部との見開き面を示す図、（ｂ）は第４紙片部と第５紙片部との見開き面を示す図、（ｃ）は第５紙片部と第６紙片部との見開き面を示す図である。
【図９】本発明の隠蔽シートの他の実施の形態を示す断面図である。
【図１０】本発明の隠蔽シートの他の実施の形態を示す断面図である。
【図１１】本発明の隠蔽シートの他の実施の形態を示す断面図である。
【図１２】本発明の隠蔽シートの他の実施の形態を示す断面図である。
【図１３】本発明の隠蔽シートの他の実施の形態を示す断面図である。
【符号の説明】
【００９８】
１０，１１０，３１０，４１０，５１０，６１０，７１０    第１紙片部
１１，１１１    宛名表示領域
１１ａ，１１１ａ    宛名情報
２０，１２０，３２０，４２０，５２０，６２０，７２０    第２紙片部
２１，４１，１２１，１４１    明細情報表示領域
２１ａ，４１ａ，１２１ａ，１４１ａ    明細情報
３０，１３０，３３０，４３０，５３０，６３０，７３０    第３紙片部
４０，１４０，３４０，４４０，５４０，６４０，７４０    第４紙片部
５０，１５０    第５紙片部
５１，１９１    地紋印刷層
６１〜６４，１６１〜１６５，３６１，３６２，４６１，４６２，５６１，５６２，６６１，６６２，７６１，７６２    折り部
７１，１７１，３７１，４７１，５７１，６７１，７７１    粘着剤
７２，１７２，３７２，４７２，５７２，６７２，７７２    感圧糊
８０，１８０，３８０，４８０，５８０，６８０，７８０    遮光印刷層
１５２    契約内容表示領域
１５２ａ    契約内容
１９０    第６紙片部
【図１】
2008055684.tif 000003
【図２】
2008055684.tif 000004
【図３】
2008055684.tif 000005
【図４】
2008055684.tif 000006
【図５】
2008055684.tif 000007
【図６】
2008055684.tif 000008
【図７】
2008055684.tif 000009
【図８】
2008055684.tif 000010
【図９】
2008055684.tif 000011
【図１０】
2008055684.tif 000012
【図１１】
2008055684.tif 000013
【図１２】
2008055684.tif 000014
【図１３】
2008055684.tif 000015